(57)【要約】【課題】  連結時には外れ難く、着脱作業が容易な装身具用止め金具を提供することである。【解決手段】  装身具の両端にそれぞれ設ける一対の連結体２，３からなり、両連結体の対向する連結面６，１２が、永久磁石９、１５の磁力によって連結される構成にした装身具用止め金具１であって、一方の連結体２の連結面６の中央部付近に、断面が円形の中心凸部と、この中心凸部の外側に設けた位置決め凸部７、凹部８とを備え、他方の連結体３の接合面１２に、上記連結体２に設けた中心凸部または中心凹部に一致する中心凹部または凸部と、位置決め凸部７、決め凹部８に一致する位置決め凹部１４、位置決め凸部１３とを備え、上記位置決め凸部７，１３および位置決め凹部８，１４が、中心凸部の中心Ｏを中心とする円弧に沿った弓形であり、その両端部に上記連結面に連続する斜面７ａ，７ｂ、８ａ，８ｂ、１３ａ，１３ｂ、１４ａ，１４ｂを有する。【選択図】  図９
2007143810.tif 000002
【特許請求の範囲】
【請求項１】
ネックレスなどの装身具の両端にそれぞれ設ける一対の連結体からなり、一方の連結体には、永久磁石を設けるとともに、他方の連結体には、上記一方の連結体に設けた永久磁石に対応する位置に永久磁石あるいは磁性体を設け、両連結体の対向する連結面が、磁力によって連結される構成にした装身具用止め金具であって、上記一方の連結体には、その連結面の中央部付近に設け、断面が円形の中心凸部または中心凹部と、この中心凸部または中心凹部の外側に設けた位置決め凸部または位置決め凹部とを備え、他方の連結体には、その接合面に、上記一方の連結体に設けた中心凸部または中心凹部に一致する中心凹部または凸部と、上記一方の連結体の位置決め凸部または位置決め凹部に一致する位置決め凹部または位置決め凸部とを備え、上記位置決め凸部および位置決め凹部が、上記中心凸部および中心凹部の中心を中心とする円弧に沿った弓形であり、その両端部に上記連結面に連続する斜面を有することを特徴とする装身具用止め金具。
【請求項２】
上記両連結体には、接合面に開口した収容凹部を設けるとともに、これら収容凹部内に、永久磁石を設け、永久磁石の表面を金属製帯部材で押さえるとともに、この帯部材の両端を、上記収容凹部内壁に溶接することによって上記永久磁石を収容凹部に固定した請求項１に記載の装身具用止め金具。
【発明の詳細な説明】
【技術分野】
【０００１】
この発明は、ネックレスなどの両端を連結する装身具用の止め具に関する。
【背景技術】
【０００２】
ネックレスなどの装身具の止め金具で、磁力を利用したものがある。例えば、ネックレスやブレスレットの一端に取り付けた連結体に、永久磁石を備えるとともに、他方に磁性体を備え、両者が磁力によって接合するようにしている。このように、磁力によって結合する止め金具は、ネックレスを付けるときには、接合面を一致させるだけでよいため、引き輪のように、バネ力に抗してリング部材を動かすなどの細かな作業が不要である。そのため、首の後ろに手を回してネックレスを連結したり、片手でブレスレットを連結したりする作業が簡単にできる。
【特許文献１】特開２００３−１５３７１０号公報
【発明の開示】
【発明が解決しようとする課題】
【０００３】
上記のように、磁力の吸引力だけで一対の部材を連結している場合には、ネックレスなどを引っ張っても、結合が簡単に外れてしまわないように、磁石の磁力を強くするだけでなく、形状を工夫しているものがある。例えば、特許文献１に記載の止め金具のように、一方の連結体に設けた磁石の表面を、連結表面の他の部分よりへこませて設け、他方の連結体には、上記磁石に連結する磁性体を、連結表面より突出させて設けている。このように構成することによって、磁石を設けた一方の連結体側の凹部に、他方の連結表面から突出した磁性体がはめ込まれることになる。そこで、ネックレスを引っ張って、止め金具の連結表面に沿った方向の力を作用させても、突出した磁性体が、磁石側の凹部に引っ掛かって、両連結体の結合が外れ難いようにしている。
【０００４】
このように、結合した止め金具が外れないような工夫がされているので、磁力による結合でも、ネックレスなどを落としてしまう心配はほとんどない。
一方、連結を外す際には、両連結体を、その接合面と直交する方向に引き離さねければならないが、止め金具の連結体は小さいので、それを摘んで引き離すことは難しい。特に、ブレスレットの場合には、片手で取り外し作業をしなければならないため、取り外しが非常に難しかった。
この発明の目的は、連結時には外れ難く、着脱作業が容易な装身具用止め金具を提供することである。
【課題を解決するための手段】
【０００５】
第１の発明は、ネックレスなどの装身具の両端にそれぞれ設ける一対の連結体からなり、一方の連結体には、永久磁石を設けるとともに、他方の連結体には、上記一方の連結体に設けた永久磁石に対応する位置に永久磁石あるいは磁性体を設け、両連結体の対向する連結面が、磁力によって連結される構成にした装身具用止め金具であって、上記一方の連結体には、その連結面の中央部付近に設け、断面が円形の中心凸部または中心凹部と、この中心凸部または中心凹部の外側に設けた位置決め凸部または位置決め凹部とを備え、他方の連結体には、その接合面に、上記一方の連結体に設けた中心凸部または中心凹部に一致する中心凹部または凸部と、上記一方の連結体の位置決め凸部または位置決め凹部に一致する位置決め凹部または位置決め凸部とを備え、上記位置決め凸部および位置決め凹部が、上記中心凸部および中心凹部の中心を中心とする円弧に沿った弓形であり、その両端部に上記連結面に連続する斜面を有する点に特徴を有する。
【０００６】
第２の発明は、第１の発明を前提とし、上記両連結体には、接合面に開口した収容凹部を設けるとともに、これら収容凹部内に、永久磁石を設け、永久磁石の表面を金属製帯部材で押さえるとともに、この帯部材の両端を、上記収容凹部内壁に溶接することによって上記永久磁石を収容凹部に固定する点に特徴を有する。
なお、上記位置決め凸部と、位置決め凹部とが一致するとは、位置きめ凹部内に位置決め凸部がはまって、一対の連結体の相対位置が決まる状態のことであり、凸部表面と凹部の内周面とが全て接触するとは限らない。
【発明の効果】
【０００７】
第１、第２の発明の装身具用止め金具を用いれば、ネックレスや、ブレスレットなどを、簡単に装着したり外したりすることができる。
特に、連結体に設ける永久磁石の磁力を強くすれば、両連結体を近づけるだけで、永久磁石と永久磁石あるいは磁性体とが引き合って、自然に両連結体が接合される。つまり、止め金具の結合が容易である。また、磁力を強くして、結合力を強くした場合でも、両連結体を相対回転させれば、両接合面間距離が離れて、磁力による吸引力が弱くなるため、簡単に連結体の結合を簡単に外すことができる。
【０００８】
さらに、第２の発明によれば、溶接が困難な材質で構成される永久磁石を連結体に強固に固定することができる。従って、繰り返しの使用によって、永久磁石が脱落するようなことがおこらない。そのため、止め金具が外れて、ネックレスなどを紛失する心配もない。
【発明を実施するための最良の形態】
【０００９】
図１〜図１１を用いて、この発明の一実施形態を説明する。
図１は、この発明の止め金具１を用いたネックレスの平面図である。この止め金具１は、一対の連結体２，３からなり、それぞれを、ネックレスの装飾部４の端部に連結リング５，５を介して連結している。
一方の連結体２は、図２、図３に示すように、外形がほぼ半球の中空部材である。そして、この連結体２において、他方の連結体３との連結時に、連結体３と接触する連結面６には、位置決め凸部７および位置決め凹部８を形成し、連結面６の中央には、この連結面６から突出させて円柱状の永久磁石９を取り付けている。この永久磁石９の突出部が、この発明の中心凸部を構成する。
【００１０】
また、この連結体２は、図３に示すように、金、銀などの貴金属の板部材を半球状にした部品２ａと、ドーナツ状の部品２ｂと、一端を開放した筒部材２ｃとを溶接して形成している。そして、上記筒部材２ｃに、上記永久磁石９をはめ込んでいる。
従って、上記筒部材２ｃが、永久磁石９を収容するための収容凹部を構成する。この収容凹部に永久磁石９を固定する方法は、筒部材２ｃの内壁２ｄに接着剤を塗布して接着するなど、どのようなものでもかまわないが、この実施形態では、より確実に永久磁石９を固定するために、以下のようにしている。
永久磁石９の表面には、図２，３に示すように、線状の溝９ａを形成する。この永久磁石９を筒部材２ｃに挿入してから、上記溝９ａにこの発明の帯状部材である金属線１０をはめ、図４の断面図に示すように、金属線１０の両端１０ａ，１０ｂを上記筒部材２ｃの内壁２ｄに溶接する。
【００１１】
このように、金属線１０を溶接することによって、永久磁石９を筒部材２ｃに固定することができる。永久磁石９を、筒部材２ｃ内に接着剤で固定した場合には、止め金具１の着脱を繰り返す間に、接着剤が剥がれて、磁石９が脱落してしまう心配があったが、金属の溶接では、そのような心配はない。ところが、永久磁石を構成する材質は、溶接が難しいものが多いので、永久磁石９を直接筒部材２ｃに溶接することは困難である。そこで、上記のように、筒部材２ｃに溶接可能な金属線１０を用いれば、この金属線１０の溶接によって、永久磁石９を収容凹部に強固に固定することができる。なお、図２では、永久磁石９を固定するための金属線１０を省略している。
【００１２】
また、上記接合面６に形成した位置決め凸部７および位置決め凹部８は、図５に示すように、永久磁石９の中心Ｏを中心とする円Ｃ１に沿った弓形をしている。
そして、上記位置決め凸部７の両端部には、その終端に向かって徐々に高さが低くなり、接合面６に連続する斜面７ａ、７ｂを備えている。
また、上記位置決め凹部８の両端部には、終端に向かって徐々に深さを浅くし、接合面６に連続する斜面８ａ、８ｂを備えている。
なお、図中符号１１は、上記連結リング５を取り付けるための接続穴１１ａを備えた接続部である。
【００１３】
また、図６、図７には、この発明の他方の連結体３を示しているが、この連結体３は、上記連結体２とほぼ同様の構成である。
この連結体３は、貴金属製の板部材を半球状に成形した部品３ａと、連結面１２を構成するドーナツ状の板部材に、位置決め凸部１３および位置決め凹部１４を形成した部品３ｂと、筒部材３ｃとを溶接して、全体を構成し、筒部材３ｃ内に、円柱状の永久磁石１５を取り付けている。この永久磁石１５を筒部材３ｃ内に固定する方法は、上記連結体２の筒部材２ｃに永久磁石９を固定する方法と同じである。ただし、この連結体３においては、永久磁石１５の表面を、筒部材３ｃの開口、すなわち、連結面１２よりもへこませて設け、中心凹部を形成している。
そして、上記一方の連結体２の連結面６から突出した永久磁石９と、他方の連結体３の永久磁石１５とが磁力によって結合したときに、連結面６と連結面１２とが接触するような寸法関係を保っている。
【００１４】
また、この連結体３の連結面１２にも、位置決め凸部１３と、位置決め凹部１４とを形成している。そして、連結体２，３を連結したときには、図９に示すように、連結体２の位置決め凸部７と連結体３の位置決め凹部１４とが一致し、上記連結部材２の位置決め凹部８と連結体３の位置決め凸部１３とが一致するようにしている。
つまり、連結体３の位置決め凸部１３および位置決め凹部１４は、永久磁石１５の中心Ｏを中心とする円Ｃ２に沿った弓形である。そして、両連結体の連結時には、上記円Ｃ１と円Ｃ２とが一致するようにしている（図９参照）。
なお、図８は、連結体２と連結体３とが連結した状態を、連結体３側から見た平面図であるが、両連結体で完全に重なっている箇所には、連結体２側の符号に（）をつけて示している。
【００１５】
この実施形態では、この発明の中心凸部および中心凹部に永久磁石を対応させ、永久磁石９と永久磁石１５とが直接結合するようにしているが、永久磁石９や１５の表面にカバー部材を設けてこのカバー部材を介して両部材が磁力によって結合するようにしても良い。また、他方のいずれか一方の永久磁石を磁性体としてもよい。
【００１６】
次に、この発明の止め金具１の使用手順を説明する。
例えば、ネックレスの止め金具として用いる場合、首の後ろで、各連結体２，３を両手の指で摘んで、両者の連結面６，１２同士を合わせる。連結面６，１２をあわせた状態で、連結体２，３を相対移動させて、中心を一致させるようにすると、一方の連結体２の永久磁石９と他方の連結体３の永久磁石１５とが磁力によって引き合う。そして、永久磁石９の突出部が、連結体３の連結面１２の、中央の凹部に入り込む。この状態で、連結体２，３は、上記永久磁石９を中心とする相対回転が可能である。
【００１７】
上記のように、永久磁石９が、他方の連結体３における中央の凹部に嵌った状態で、両連結体２，３を相対させていると、一方の連結面１２上の位置決め凸部７が、他方の連結面１２の位置決め凹部１４に一致し、一方の位置決め凹部８に他方の位置決め凸部１３が一致する。そして、このときに、両方の永久磁石９と１５とが結合する。
【００１８】
なお、この実施形態の止め金具では、位置決め凸部７、１３および凹部８，１４の両端部に、各連結面に連続する斜面を形成しているので、両連結体２，３の相対回転させたときに、位置決め凸部７，１３が、上記斜面に沿って位置決め凹部１４，８内に滑り込み易くなっている。
また、永久磁石同士が引きあった状態では、連結体２，３は、永久磁石の中心Ｏを中心として相対回転しやすいが、磁力に平行な方向に引き離すためには、力が必要であり、両連結体を引き離すことは容易ではない。言い換えれば、中央の永久磁石９，１５同士を引き合わせておけば、そこを中心として、連結体２，３を相対回転させるのは簡単である。つまり、この実施形態においては、各永久磁石９，１５が、この発明の中心凸部および中心凹部を構成し、その中心Ｏが、連結体２，３の回転中心となる。
【００１９】
一方で、上記位置決め凸部および位置決め凹部は、上記回転中心となる永久磁石の中心Ｏを中心とする円Ｃ１、Ｃ２の円周に沿った弓形なので、両接合面６，１２を接触させて、連結体２，３を相対回転させれば、位置決め凸部が対応する位置決め凹部へ滑り込んで一致する。つまり、指先の細かい作業や、大きな力を必要としないで、簡単に、連結ができる。
また、両連結体２，３を片手の指で摘んで連結することもできるので、ブレスレットに用いた場合にも、簡単に結合することができる。
【００２０】
次に、上記のように連結した止め金具１を、取り外す作業について説明する。
図８〜図１０が、この止め金具１の連結時の状態を示した図であるが、図８は、連結された止め金具１を他方の連結体３側から見た正面図であり、図９、図１０は、断面図である。ただし、図１０は、位置決め凸部７と位置決め凹部１４とを、上記円Ｃ１の円弧に沿って切断した部分断面図である。
【００２１】
そして、これらの状態から、ユーザーは、各連結体２，３の接続部１１，１１を、指で図８に示す矢印ｘ１、ｘ２方向に、つまり、接続部１１，１１を近づける方向に移動させる。このとき、連結体２，３の中央では、円柱状の永久磁石９，１５が結合し、しかも、永久磁石９の突出部分が、連結体３のへこみに入り込んでいる。従って、図８の矢印ｘ１、ｘ２のように、接続部１１を移動させようとしたとき、永久磁石９、１５の中心は移動しないので、連結体２，３は、上記永久磁石９および１５の端面の中心Ｏを中心として相対回転する。
【００２２】
また、上記位置決め凸部および位置決め凹部は、それぞれ上記中心Ｏを中心とする円周に沿っている。そのため、上記永久磁石９と１５が磁力で引き合っていても、位置決め凸部７と位置決め凹部１４は、連結体の相対回転に応じて図１０の矢印のように相対移動する。
図１０に示すように、位置決め凸部７と位置決め凹部１４とが一致した状態では、連結面６と連結面１２とが接触しているが、これらが相対移動すれば、図１１に示すように、位置決め凸部７が位置決め凹部１４から外れて、連結面６と連結面１２との間に、距離Ｌの隙間ができる。つまり、連結面６および１２の中央部において、永久磁石９と永久磁石１５も距離Ｌだけ離れるので、磁力による吸引力がほとんどなくなり、連結体２，３の連結が解除される。
【００２３】
以上の手順によって、連結体２と連結体３とを簡単に離すことができる。連結している永久磁石９と永久磁石１５とを、磁力の方向に引っ張って引き離すためには、個々の連結体を別々に摘まなければならないので、細かく、面倒な作業が必要である。しかし、上記のように、各連結体２，３を、連結面６，１２に沿ってずらすように相対回転させる作業は簡単である。
特に、ブレスレットの場合には、着脱時に片手しか使えないので、連結体２，３を個々に摘むことはできない。しかし、２個の連結体２，３の接続部１１，１１や、そこに接続した連結リング５，５（図１参照）を片手の指で寄せるようにしてずらすことは簡単である。つまり、上記実施形態の止め金具１ならば、片手でも簡単に外すことができる。
【００２４】
また、図１０、図１１には、一組の位置決め凸部７と位置決め凹部１４のみを示して、いるが、もう一方の位置決め凹部８と位置決め凸部１３も、上記位置決め凸部７、位置決め凹部１４と、同様に機能する。
さらに、一つの連結体には、位置決め凸部と凹部の両者を形成せずに、一方だけでもかまわないし、複数形成してもよい。また、一つの連結面に複数の位置決め凸部などを形成する場合、それらを同一円周上に設ける必要はない。位置決め凸部および凹部が、連結体の相対回転中心を中心とする同心円上に位置していればよい。
また、上記実施形態では、両連結体２，３にそれぞれ永久磁石を設けているが、いずれか一方の連結体には、永久磁石の替わりに磁性体を設けても良い。ただし、両方の連結体に永久磁石を設けた方が、磁力による結合力を強くすることが容易である。
【図面の簡単な説明】
【００２５】
【図１】この発明の実施形態の止め金具を用いたネックレスの平面図である。
【図２】実施形態の一方の連結体の斜視図である。
【図３】図２のIII-III線断面図である。
【図４】図２のIV-IV線断面図である。
【図５】実施形態の一方の連結体の平面図である。
【図６】実施形態の他方の連結体の斜視図である。
【図７】図６のVII-VII線断面図である。
【図８】実施形態における止め金具の連結状態を他方の連結部材側から見た平面図である。
【図９】図８のIX-IX線断面図である。
【図１０】位置決め凸部および位置決め凹部部分の部分断面図であり、両者が一致した状態を示している。
【図１１】位置決め凸部および位置決め凹部部分の部分断面図であり、両者が離れた状態を示している。
【符号の説明】
【００２６】
１    止め金具
２    （一方の）連結体
３    （他方の）連結体
２ｃ，３ｃ    筒部材
２ｄ，３ｄ    内壁
６，１２    連結面
７，１３    位置決め凸部
８，１４    位置決め凹部
７ａ，７ｂ    斜面
８ａ，８ｂ    斜面
１３ａ，１３ｂ    斜面
１４ａ，１４ｂ    斜面
９，１５    永久磁石
９ａ，１５ａ    溝
１０    金属線
１０ａ，１０ｂ    端
Ｏ    中心
Ｃ１、Ｃ２  円
【図１】
2007143810.tif 000003
【図２】
2007143810.tif 000004
【図３】
2007143810.tif 000005
【図４】
2007143810.tif 000006
【図５】
2007143810.tif 000007
【図６】
2007143810.tif 000008
【図７】
2007143810.tif 000009
【図８】
2007143810.tif 000010
【図９】
2007143810.tif 000011
【図１０】
2007143810.tif 000012
【図１１】
2007143810.tif 000013